(57)【特許請求の範囲】
【請求項１】
医療映像処理装置と、
複数の医療機器から受け付けた医療映像の中から選択された医療映像を前記医療映像処理装置に出力する映像切替装置と、
を備える医療映像システムであって、
前記医療映像処理装置は、
ユーザの操作入力に応じて、複数通りの解像度の中から一の解像度を選択して指定する解像度指定手段と、
前記映像切替装置から医療映像を入力する映像入力手段と、
前記映像入力手段によって入力された医療映像の解像度が、前記解像度指定手段によって指定可能な選択肢に含まれる前記複数通りの解像度のうちいずれに該当するかを判別する解像度判別手段と、
前記映像入力手段が入力した医療映像を、前記解像度判別手段が判別した解像度に基づいて、前記解像度指定手段によって指定された解像度に合わせて変換する変換処理を行う映像変換手段と、
前記映像変換手段によって変換された医療映像を出力する映像出力手段、又は、前記映像変換手段によって変換された医療映像を録画する録画手段のうち少なくとも一方と、
を有し、
前記映像出力手段から医療映像を出力しているとき又は前記録画手段が医療映像を録画しているときに前記解像度判別手段によって判別される医療映像の解像度が変化したとき、前記映像変換手段による前記変換処理が更新されることによって、出力された医療映像又は録画された医療映像が前記解像度指定手段によって指定された解像度で表示される際の表示領域の大きさが維持される、
ことを特徴とする医療映像システム。
【請求項２】
前記映像変換手段は、
前記映像出力手段から医療映像を出力しているとき又は前記録画手段が医療映像を録画しているときに前記解像度判別手段によって判別される医療映像の解像度が、前記解像度指定手段によって指定された解像度に比べて高くなって前記変換処理が更新される場合、出力される医療映像又は録画される医療映像を縮小することによって、当該医療映像が前記解像度指定手段によって指定された解像度で表示される際の表示領域の大きさを維持し、
前記映像出力手段から医療映像を出力しているとき又は前記録画手段が医療映像を録画しているときに前記解像度判別手段によって判別される医療映像の解像度が、前記解像度指定手段によって指定された解像度に比べて低くなって前記変換処理が更新される場合、出力される医療映像又は録画される医療映像を拡大することによって、当該医療映像が前記解像度指定手段によって指定された解像度で表示される際の表示領域の大きさを維持する、
請求項１に記載の医療映像システム。
【請求項３】
ユーザの操作入力に応じて、複数通りの解像度の中から一の解像度を選択して指定する解像度指定手段と、
外部から医療映像を入力する映像入力手段と、
前記映像入力手段によって入力された医療映像の解像度が、前記解像度指定手段によって指定可能な選択肢に含まれる前記複数通りの解像度のうちいずれに該当するかを判別する解像度判別手段と、
前記映像入力手段が入力した医療映像を、前記解像度判別手段が判別した解像度に基づいて、前記解像度指定手段によって指定された解像度に合わせて変換する変換処理を行う映像変換手段と、
前記映像変換手段によって変換された医療映像を出力する映像出力手段、又は、前記映像変換手段によって変換された医療映像を録画する録画手段のうち少なくとも一方と、
を備え、
前記映像出力手段から医療映像を出力しているとき又は前記録画手段が医療映像を録画しているときに前記解像度判別手段によって判別される医療映像の解像度が変化したとき、前記映像変換手段による前記変換処理が更新されることによって、出力された医療映像又は録画された医療映像が前記解像度指定手段によって指定された解像度で表示される際の表示領域の大きさが維持される、
ことを特徴とする医療映像処理装置。
【請求項４】
前記映像変換手段は、
前記映像出力手段から医療映像を出力しているとき又は前記録画手段が医療映像を録画しているときに前記解像度判別手段によって判別される医療映像の解像度が、前記解像度指定手段によって指定された解像度に比べて高くなって前記変換処理が更新される場合、出力される医療映像又は録画される医療映像を縮小することによって、当該医療映像が前記解像度指定手段によって指定された解像度で表示される際の表示領域の大きさを維持し、
前記映像出力手段から医療映像を出力しているとき又は前記録画手段が医療映像を録画しているときに前記解像度判別手段によって判別される医療映像の解像度が、前記解像度指定手段によって指定された解像度に比べて低くなって前記変換処理が更新される場合、出力される医療映像又は録画される医療映像を拡大することによって、当該医療映像が前記解像度指定手段によって指定された解像度で表示される際の表示領域の大きさを維持する、
請求項３に記載の医療映像処理装置。
【発明の詳細な説明】
【技術分野】
【０００１】
本発明は、医療映像システム及びその医療映像システムに用いられる医療映像処理装置に関する。
【背景技術】
【０００２】
近年、医療手術を行う際には、術野を撮影した映像や生体情報の計測結果等を、手術室に設けられた複数のモニタに表示したり録画機に記録したりしながら手技を行うことが一般的である。
この種の医療映像を処理するシステムとして、本発明者らは下記の特許文献１に係る発明について特許出願している。特許文献１には、複数の医療機器から入力した医療映像を、各機器（エンコード装置やモニタ等）に配信するシステムが開示されている。
【先行技術文献】
【特許文献】
【０００３】
【特許文献１】特許第６４４０１３６号公報
【発明の概要】
【発明が解決しようとする課題】
【０００４】
特許文献１に開示されているシステムには、医療映像スイッチャーが含まれている。この医療映像スイッチャーは、エンコード装置に対して術野カメラや生体測定器等の医療機器から医療映像を出力することができ、その出力する医療映像を手術の途中において切り替え可能に構成されている。
ここで、医療機器から出力される医療映像の解像度は、医療機器によって異なることがある。従って、エンコード装置に対して入力される医療映像が切り替わる際に、エンコード装置において処理される医療映像の解像度が手術の途中で変化することに起因して、その処理後の医療映像に不都合が生じる場合も想定される。
【０００５】
本発明は、上記の課題に鑑みなされたものであり、入力される医療映像の解像度の変化に応じて適切に処理可能な医療映像システム、及び、その医療映像システムに用いられる医療映像処理装置を提供するものである。
【課題を解決するための手段】
【０００６】
本発明によれば、医療映像処理装置と、複数の医療機器から受け付けた医療映像の中から選択された医療映像を前記医療映像処理装置に出力する映像切替装置と、を備える医療映像システムであって、前記医療映像処理装置は、複数通りの解像度のうち一の解像度を、予め指定する解像度指定手段と、前記映像切替装置から医療映像を入力する映像入力手段と、前記映像入力手段が医療映像を入力すると、当該医療映像の解像度を即時に判別する解像度判別手段と、前記映像入力手段が入力した医療映像を、前記解像度判別手段が判別した解像度に基づいて、前記解像度指定手段によって指定された解像度に合わせて変換する映像変換手段と、前記映像変換手段によって変換された医療映像を出力する映像出力手段、又は、前記映像変換手段によって変換された医療映像を録画する録画手段のうち少なくとも一方と、を有する医療映像システムが提供される。
また、本発明によれば、複数通りの解像度のうち一の解像度を、予め指定する解像度指定手段と、外部から医療映像を入力する映像入力手段と、前記映像入力手段が医療映像を入力すると、当該医療映像の解像度を即時に判別する解像度判別手段と、前記映像入力手段が入力した医療映像を、前記解像度判別手段が判別した解像度に基づいて、前記解像度指定手段によって指定された解像度に合わせて変換する映像変換手段と、前記映像変換手段によって変換された医療映像を出力する映像出力手段、又は、前記映像変換手段によって変換された医療映像を録画する録画手段のうち少なくとも一方と、を備える医療映像処理装置が提供される。
【０００７】
上記の発明は、入力した医療映像の解像度を即時に判定し、その判定結果に基づいて医療映像の解像度を変換する（リアルタイムで解像度を変換する）ので、入力する医療映像の切替等によって入力される医療映像の解像度が変化したとしても、その後の処理を適正に行うことができる。
【発明の効果】
【０００８】
本発明によれば、入力される医療映像の解像度の変化に応じて適切に処理可能な医療映像システム、及び、その医療映像システムに用いられる医療映像処理装置が提供される。
【図面の簡単な説明】
【０００９】
【図１】本実施形態に係る医療映像システムの構成を示す構成図である。
【図２】録画中のエンコード装置の表示領域を示す図である。
【図３】録画中に拡張画面を表示した場合のエンコード装置の表示領域を示す図である。
【図４】従来のエンコード装置が実行する映像入力開始処理と入力画面表示処理に関するフローチャートである。
【図５】従来のエンコード装置が実行する出力画面表示処理に関するフローチャートである。
【図６】従来のエンコード装置の出力画面に表示される医療映像の変化を示す図である。
【図７】本実施形態におけるエンコード装置が実行する入力画面表示処理に関するフローチャートである。
【図８】本実施形態におけるエンコード装置の出力画面に表示される医療映像の変化を示す図である。
【発明を実施するための形態】
【００１０】
以下、本発明の実施形態について、図面を用いて説明する。なお、すべての図面において、同様の構成要素には同一の符号を付し、適宜に説明を省略する。
【００１１】
＜医療映像システム１０００に含まれる各構成要素について＞
まず、医療映像システム１０００に含まれる各構成要素について、図１を用いて説明する。図１は、本実施形態に係る医療映像システム１０００の構成を示す構成図である。
なお、図１に図示される矢印は、各構成要素の間において授受される映像の出力元と入力先とを示すものである。従って、映像以外の情報やデータの授受については、必ずしも各矢印が示す内容と一致しなくてよい。
【００１２】
本実施形態に係る医療映像システム１０００（本発明に係る医療映像システム）は、医療機器群２００によって生成される医療映像を処理するものである。
医療映像システム１０００は、少なくとも、エンコード装置４００（本発明に係る医療映像処理装置）と、スイッチャー１００（本発明に係る映像切替装置）と、を備えている。
スイッチャー１００は、医療機器群２００から受け付けた医療映像のうち選択した医療映像をエンコード装置４００に出力する。
一方、エンコード装置４００は、以下の処理を行うことを特徴とする。
（１）エンコード装置４００は、複数通りの解像度のうち一の解像度を予め指定する（本発明に係る解像度指定手段）。
（２）エンコード装置４００は、スイッチャー１００から医療映像を入力する（本発明に係る映像入力手段）。
（３）エンコード装置４００は、医療映像を入力すると、当該医療映像の解像度を即時に判別する（本発明に係る解像度判別手段）。
（４）エンコード装置４００は、入力した医療映像を、判別した解像度に基づいて、指定した解像度に合わせて変換する（本発明に係る映像変換手段）。なお、映像変換手段による医療映像の変換処理のことを、以下の説明においてリサイズと称する場合がある。
（５）エンコード装置４００は、変換した医療映像を出力する（本発明に係る映像出力手段）。
（６）エンコード装置４００は、変換した医療映像を録画する（本発明に係る録画手段）。
なお、本発明の実施において、エンコード装置４００は、上記の映像出力手段又は録画手段のうち少なくとも一方を有していれば足り、必ずしも双方を有していなくてもよい。
【００１３】
医療映像システム１０００は、エンコード装置４００が上記のような処理を実行可能に構成されているので、スイッチャー１００による医療映像の切替等によってエンコード装置４００に入力される医療映像の解像度が変化したとしても、エンコード装置４００は変換した医療映像を下流側の機器に出力することができると共に、変換した医療映像を録画することができる。
【００１４】
以下、本実施形態に係る医療映像システム１０００の具体的内容について、説明する。
【００１５】
医療映像システム１０００は、スイッチャー１００と、スイッチャー１００の入力チャンネルに接続される医療機器群２００と、スイッチャー１００の出力チャンネルに接続されるモニタ群３００及びエンコード装置４００と、を備えている。そして、医療映像システム１０００は、ネットワーク５００を介してエンコード装置４００から供給される映像をダウンロードして録画するサーバ装置６００と、ネットワーク５００を介してサーバ装置６００に対して映像を要求し、要求した映像をサーバ装置６００からネットワーク５００を介してストリーミング配信を受けて表示（再生）する視聴端末群７００と、を備えている。
【００１６】
スイッチャー１００は、複数の入力チャンネル（医療機器群２００）のいずれかから医療映像を入力し、複数の出力チャンネルのうち入力チャンネルに接続した出力チャンネルから出力させる装置である。
【００１７】
本実施形態では、医療機器群２００の具体例として、術野カメラ２０１と、ヘッドカメラ２０２と、電子カルテ２０３と、生体測定器２０４と、内視鏡２０５と、顕微鏡２０６と、超音波診断装置２０７と、透視撮影装置２０８と、を例示する。
術野カメラ２０１は、術野に正対する位置から当該術野を撮影し、撮影した映像をスイッチャー１００に出力するカメラである。
ヘッドカメラ２０２は、施術者（執刀医）の頭部にセットされ、撮影した映像をスイッチャー１００に出力するカメラである。
電子カルテ２０３は、手術を受ける被施術者（患者）に関する診療記録（カルテ）を保存し、保存している診療記録をスイッチャー１００に出力するコンピュータ機器である。本実施形態では、電子カルテ２０３から出力される診療記録は、一つに限られず複数であってもよい。電子カルテ２０３から出力される診療記録が複数である場合、電子カルテ２０３は、スイッチャー１００の入力チャンネルごとに分けて診療記録を出力可能である。
生体測定器２０４は、当該被施術者の生体情報（血圧、脈拍数、心電図、呼吸速度、体温等）を測定し、測定した生体情報をスイッチャー１００に出力する測定器である。
内視鏡２０５は、当該被施術者の体内に挿入されるチューブの先端部にカメラのレンズや鉗子孔等が設けられており、当該カメラで撮影した映像をスイッチャー１００に出力する医療機器である。
顕微鏡２０６は、微小な部位（当該被施術者の神経や血管等）を肉眼で見える大きさに拡大して表示及び撮影する医療機器であり、拡大して撮影した映像をスイッチャー１００に出力可能である。
超音波診断装置２０７は、超音波を対象物（当該被施術者の胸部や腹部等）に当てて、その反響を映像化する医療機器であり、「エコー」と称されることもある。超音波診断装置２０７は、反響した超音波に基づく映像を、スイッチャー１００に出力可能である。
透視撮影装置２０８は、Ｘ線を対象物（当該被施術者）に照射して透過したＸ線に基づいてＸ線画像を生成する医療機器であり、生成したＸ線画像をスイッチャー１００に出力可能である。
ここで挙げた医療機器群２００は一具体例であり、本発明の実施においてこれらの一部が欠けていてもよいし、ここで挙げていない別の医療機器が含まれてもよい。
【００１８】
なお、本実施形態において医療機器群２００によって生成される映像等（診療記録や生体情報の測定結果を含む）に係る映像データ、当該映像データを入力した装置（後述するモニタ群３００や視聴端末群７００）によって表示される映像等は、いずれも本発明に係る「医療映像」に相当するものとして、以下説明する。
【００１９】
モニタ群３００は、医療機器群２００から出力される医療映像を、スイッチャー１００を介して入力し、入力した医療映像を表示する表示装置である。
なお、モニタ群３００に相当する表示装置の数は特に限定されず、単一の表示装置であっても良い。
【００２０】
エンコード装置４００は、医療機器群２００から出力される医療映像を、スイッチャー１００を介して入力し、入力した医療映像に対してエンコード処理を施し、サーバ装置６００への転送および録画に適した形式に変換する。
また、エンコード装置４００は、内蔵されている不図示のストレージに医療映像を録画する録画機能、当該ストレージに録画されている医療映像を再生する再生機能、又は、医療映像を構成する各フレームを静止画像として切り出すキャプチャ機能、などを有している。
【００２１】
本実施形態におけるエンコード装置４００は四つの入力系統を有しており、スイッチャー１００における四つの出力チャンネルのそれぞれから医療映像を入力することができ、各医療映像に対してエンコード処理を施した上でサーバ装置６００に録画させることができる。
なお、エンコード装置４００の入力系統の数は特に制限されず、四つより少なくても多くても良い。
【００２２】
エンコード装置４００は、四つの入力系統を有しており、スイッチャー１００における四つの出力チャンネルのそれぞれから医療映像を入力することができる。
エンコード装置４００は、各入力系統から入力した医療映像のそれぞれに対してエンコード処理及び録画処理を行うことができる。なお、エンコード装置４００の内蔵ストレージに医療映像を録画する処理及びサーバ装置６００に録画させる処理において、エンコード装置４００は、各チャンネルに入力された医療映像を同一のタイムコードに対応付けることができる。これにより、録画後に医療映像を再生するとき、各医療映像を同期再生することができる。
なお、エンコード装置４００の入力系統の数は特に制限されず、四つより少なくても多くても良い。
【００２３】
ネットワーク５００は、インターネットやＬＡＮ（Local Area Network）等の種々のコンピュータネットワークまたはそれらの組合せで構成することができる。また、ネットワーク５００に含まれる各構成要素間の通信接続は、有線通信であってもよいし、無線通信であってもよいし、それらの組み合わせであってもよい。
【００２４】
サーバ装置６００は、エンコード装置４００から転送された医療映像を録画することができる。
サーバ装置６００は、視聴端末群７００に対して、通常のストリーミング配信（医療映像の録画を終えた後にストリーミング配信する方式）と、ライブストリーミング配信（医療映像の録画と並行して、録画している医療映像をストリーミング配信する方式）と、が選択的に実行可能になっている。
なお、図１では、一つのサーバ装置６００を用いて医療映像システム１０００を構成しているように図示しているが、複数のサーバ装置６００を用いて構成してもよい。例えば、通常のストリーミング配信用のサーバ装置６００と、ライブストリーミング配信用のサーバ装置６００と、を別々の装置としてもよい。
【００２５】
視聴端末群７００は、サーバ装置６００に対するアクセス権限を有しているコンピュータ機器であり、そのアクセス権限に応じてサーバ装置６００に保存されている医療映像の表示（再生）を要求することができる。サーバ装置６００は、視聴端末群７００の表示要求に応えて、ネットワーク５００を介して要求された映像を配信する（通常のライブストリーミング配信、ライブストリーミング配信のうち何れかをする）。
【００２６】
図１に示すとおり、本実施形態に係る医療映像システム１０００については、医療機器群２００からモニタ群３００に対する医療映像の伝送経路と、医療機器群２００からエンコード装置４００に対する医療映像の伝送経路と、がスイッチャー１００によって互いに分離されている。
なお、本発明の実施において、医療機器からモニタに対する医療映像の伝送経路と、医療機器からエンコード装置に対する医療映像の伝送経路と、を分離する為に、必ずしもスイッチャーを用いる必要はなく、例えば、出力元の医療機器自体が医療映像を分配してモニタとエンコード装置に出力可能であってもよい。
【００２７】
なお、本実施形態では、モニタ群３００及びエンコード装置４００に相当する表示装置は手術室の中に設けられていることを前提とし、サーバ装置６００及び視聴端末群７００に相当するコンピュータ機器は手術室の外に設けられていることを前提とする。
但し、本発明の実施において、モニタ群３００に相当する表示装置の少なくとも一部が手術室の外に設けられてもよいし、視聴端末群７００に相当するコンピュータ機器の少なくとも一部が手術室の中に設けられてもよい。
【００２８】
＜エンコード装置４００の操作について＞
続いて、エンコード装置４００の操作について、図２、図３を用いて説明する。
図２は、録画中のエンコード装置４００の表示領域を示す図である。図３は、録画中に拡張画面を表示した場合のエンコード装置４００の表示領域を示す図である。
【００２９】
エンコード装置４００の表示領域は、グラフィカルユーザインターフェース（Graphical User Interface：GUI）として機能し、表示上のアイコン等を、エンコード装置４００に付設されている不図示の入力装置（マウスやキーボード等）を用いて操作することによって、ユーザはエンコード装置４００を操作することができる。また、エンコード装置４００の表示領域がタッチパネルである場合には、当該表示領域自体が入力装置として機能する。
【００３０】
エンコード装置４００の表示領域には、入力画面４０１と、出力画面４０２と、状態表示４０３と、が表示される。
入力画面４０１は、スイッチャー１００から入力した医療映像（エンコード処理前の医療映像）を再生する画面である。図２及び図３では、術野カメラ２０１によって撮影された医療映像が入力画面４０１に再生されている状態が図示されている。
出力画面４０２は、エンコード装置４００からサーバ装置６００に出力する医療映像を再生する画面である。なお、出力画面４０２によって再生される医療映像は、エンコード装置４００によって録画される医療映像（エンコード処理後の医療映像）と同じである。
状態表示４０３は、その時点において出力画面４０２に再生されている医療映像、即ち出力されている医療映像の状態を表示している。具体的には、状態表示４０３は、録画中であるか否か、録画時間、録画した医療映像のデータ容量等が表示される。
上記のように、エンコード装置４００の表示領域は、エンコード処理前の医療映像を表示する入力画面４０１と、エンコード処理後の医療映像を表示する出力画面４０２と、が対比可能になっているので、エンコード処理による影響（例えば、画質が暗くなる等）を確認することができる。
【００３１】
エンコード装置４００の表示領域には、録画停止ボタン４０５と、静止画撮影ボタン４０６と、録画一時停止ボタン４０７と、が表示される。
録画停止ボタン４０５は、医療映像の録画を停止する契機となる操作を受け付けるボタンである。
静止画撮影ボタン４０６は、録画されている医療映像の１フレームを静止画としてキャプチャする契機となる操作を受け付けるボタンである。
録画一時停止ボタン４０７は、医療映像の録画を一時停止する契機となる操作、又は一時停止を解除する契機となる操作を受け付けるボタンである。
【００３２】
エンコード装置４００の表示領域には、施術情報表示４０８と、出力情報表示４０９と、が表示される。
施術情報表示４０８は、入力画面４０１に再生されている医療映像に係る施術に関連する情報、具体的には、被施術者（患者）の識別番号と名前、施術者の名前、診療科の名称、施術を行っている場所の名称等を表示している。施術者の名前、診療科の名称については、施術情報表示４０８に対するユーザの操作入力によって選択することができる。施術情報表示４０８に表示される情報のうち、ユーザの操作入力を要さない情報については不図示の外部システム（例えば、電子カルテシステム等）からインポートしてもよい。
出力情報表示４０９は、出力画面４０２に再生されている医療映像の解像度を表示する。そして、ユーザは、出力情報表示４０９に対するユーザの操作入力によって、録画する医療映像（即ち、エンコード装置４００からサーバ装置６００に出力する医療映像）の解像度を、複数通りの解像度（例えば、４ＫとＨＤ）の中から一つ選択して指定することができる。
【００３３】
エンコード装置４００の表示領域には、拡張表示作動ボタン４１０と、拡張表示停止ボタン４１４と、が表示される。
拡張表示作動ボタン４１０は、入力画面４０１又は出力画面４０２に再生している医療映像とは別の入力系統から入力した医療映像を再生するサブ画面を表示する（図２から図３の状態に移行させる）契機となる操作を受け付けるボタンである。例えば、図３には、生体測定器２０４から入力した医療映像をサブ画面４１１に、ヘッドカメラ２０２から入力した医療映像をサブ画面４１２に、電子カルテ２０３から入力した医療映像をサブ画面４１３に表示している状態を図示している。当該状態において、拡張表示領域において再生される医療映像を録画している場合には、録画一時停止ボタン４０７と同様のアイコンが当該医療映像に重畳して表示され、当該アイコンを操作すると録画が一時停止となる。また、当該状態において、拡張表示領域において再生される医療映像を録画していない場合には、不図示の録画開始ボタン（医療映像の録画を開始する契機となる操作を受け付けるボタン）と同様のアイコンが当該医療映像に重畳して表示され、当該アイコンを操作すると録画が開始される。
拡張表示停止ボタン４１４は、上記のサブ画面が表示されている場合において表示され、サブ画面に表示を隠す（図３から図２の状態に移行させる）契機となる操作を受け付けるボタンである。
【００３４】
＜従来のエンコード装置による解像度判別とリサイズについて＞
次に、従来のエンコード装置（本願発明の解像度判別とリサイズを行わないエンコード装置）による解像度判別とリサイズについて説明する。
図４は、従来のエンコード装置が実行する映像入力開始処理と入力画面表示処理に関するフローチャートである。
図５は、従来のエンコード装置が実行する出力画面表示処理に関するフローチャートである。
【００３５】
先ず、図４（ａ）のフローチャートに基づいて、映像入力開始処理について説明する。
従来のエンコード装置は、スイッチャー１００から医療映像に関する映像信号を入力すると、以下のステップＳ１０２〜ステップＳ１０８の処理を実行する。
ステップＳ１０２において、当該エンコード装置は、入力した映像信号をデコードし、ステップＳ１０４に進む。
ステップＳ１０４において、当該エンコード装置は、デコードして得られた映像データをメモリに書き込み、ステップＳ１０６に進む。
ステップＳ１０６において、当該エンコード装置は、メモリに書き込んだ映像データを解析して、その解像度を判別し、ステップＳ１０８に進む。
ステップＳ１０８において、当該エンコード装置は、リサイズ率を決定し、映像入力開始処理は終了となる。ここでリサイズ率とは、ステップＳ１０６で判別した解像度と、ユーザの操作に応じて予め指定された解像度と、の比率であり、後述するリサイズの処理に用いられる。
【００３６】
次に、図４（ｂ）のフローチャートに基づいて、入力画面表示処理について説明する。
従来のエンコード装置は、スイッチャー１００から医療映像に関する映像信号の入力が継続している場合（ステップＳ２０２がＹＥＳである場合）、以下のステップＳ２０４〜ステップＳ２１０の処理を実行する。
ステップＳ２０４において、当該エンコード装置は、入力した映像信号をデコードし、ステップＳ２０６に進む。
ステップＳ２０６において、当該エンコード装置は、デコードして得られた映像データをメモリに書き込み、ステップＳ２０８に進む。
ステップＳ２０８において、当該エンコード装置は、ステップＳ１０８で決定したリサイズ率を用いて、メモリに書き込んだ映像データをリサイズし、ステップＳ２１０に進む。
ステップＳ２１０において、当該エンコード装置は、リサイズした映像データを医療映像として入力画面４０１に表示させて、ステップＳ２０２に戻る。
なお、スイッチャーから当該エンコード装置に対する医療映像に関する映像信号の入力が途絶えると（ステップＳ２０２がＮＯである場合）、入力画面表示処理は終了となる。
【００３７】
次に、図５のフローチャートに基づいて、出力画面表示処理について説明する。
従来のエンコード装置は、録画中において（ステップＳ３０２がＹＥＳである場合）、以下のステップＳ３０４〜ステップＳ３１８の処理を実行する。
ステップＳ３０４において、当該エンコード装置は、入力した映像信号をデコードし、ステップＳ３０６に進む。
ステップＳ３０６において、当該エンコード装置は、デコードして得られた映像データをメモリに書き込み、ステップＳ３０８に進む。
ステップＳ３０８において、当該エンコード装置は、ステップＳ１０８で決定したリサイズ率を用いて、デコードして得られた映像データをリサイズし、ステップＳ３１０に進む。
ステップＳ３１０において、当該エンコード装置は、リサイズした映像データにエンコード処理を施して録画に適した形式の映像信号に変換し、ステップＳ３１２に進む。
ステップＳ３１２において、当該エンコード装置は、録画に適した形式の映像信号を再びデコードし、ステップＳ３１４に進む。
ステップＳ３１４において、当該エンコード装置は、デコードした映像データを医療映像として出力画面４０２に表示させる。
また、当該エンコード装置は、上記のステップＳ３１２及びステップＳ３１４の処理と並行して、エンコード処理が行われた映像データを、エンコード装置４００に内蔵されているストレージに録画し（ステップＳ３１６）、ストレージに録画した映像データをサーバ装置６００に転送する（ステップＳ３１８）。
サーバ装置６００に転送された映像データは、通常のストリーミング配信をする場合は、サーバ装置６００に録画した後に、視聴端末群７００の要求に応じて配信される。また、サーバ装置６００に転送された映像データは、ライブストリーミング配信をしている場合は、サーバ装置６００に録画することと並行して、視聴端末群７００に対して逐次配信される。
なお、録画が停止されると（ステップＳ３０２がＮＯである場合）、出力画面表示処理は終了となる。
【００３８】
図６は、従来のエンコード装置の出力画面４０２に表示される医療映像の変化を示す図である。
なお、図６の説明において、術野カメラ２０１から入力される医療映像の解像度は４Ｋ（３８４０×２１６０ピクセル）とし、生体測定器２０４から入力される医療映像の解像度はＨＤ（１２８０×７２０ピクセル）であることを前提として説明する。但し、ここで挙げた医療映像と解像度の組み合わせは例示であり、ここに例示しない組み合わせによって本発明が実施されてもよい。
【００３９】
図６（ａ）は、従来のエンコード装置によって指定された解像度（出力する医療映像の解像度）がＨＤであり、入力される医療映像の解像度が４Ｋ（術野カメラ２０１から入力した医療映像）、ＨＤ（生体測定器２０４から入力した医療映像）、４Ｋ（術野カメラ２０１から入力した医療映像）の順に変化する場合に、出力画面４０２に表示される医療映像の変化を示している。
当該エンコード装置は、図６（ａ）に示すように、医療映像の解像度が４ＫからＨＤに変化するタイミングで、医療映像が表示される領域が１／４に縮小してしまう。当該タイミングでも、映像入力開始時に決定したリサイズ率が維持されるからである。
【００４０】
図６（ｂ）は、従来のエンコード装置によって指定された解像度（出力する医療映像の解像度）がＨＤであり、入力される医療映像の解像度がＨＤ（生体測定器２０４から入力した医療映像）、４Ｋ（術野カメラ２０１から入力した医療映像）、ＨＤ（生体測定器２０４から入力した医療映像）の順に変化する場合に、出力画面４０２に表示される医療映像の変化を示している。
当該エンコード装置は、図６（ｂ）に示すように、医療映像の解像度がＨＤから４Ｋに変化するタイミングで、本来表示されるべき医療映像のうち１／４しか表示されず、他の表示が視認できなくなる。当該タイミングでも、映像入力開始時に決定したリサイズ率が維持されるからである。
【００４１】
図６（ｃ）は、従来のエンコード装置によって指定された解像度（出力する医療映像の解像度）が４Ｋであり、入力される医療映像の解像度が４Ｋ（術野カメラ２０１から入力した医療映像）、ＨＤ（生体測定器２０４から入力した医療映像）、４Ｋ（術野カメラ２０１から入力した医療映像）の順に変化する場合に、出力画面４０２に表示される医療映像の変化を示している。
当該エンコード装置は、図６（ｃ）に示すように、医療映像の解像度が４ＫからＨＤに変化するタイミングで、医療映像が表示される領域が１／４に縮小してしまう。当該タイミングでも、映像入力開始時に決定したリサイズ率が維持されるからである。
【００４２】
図６（ｄ）は、従来のエンコード装置によって指定された解像度（出力する医療映像の解像度）が４Ｋであり、入力される医療映像の解像度がＨＤ（生体測定器２０４から入力した医療映像）、４Ｋ（術野カメラ２０１から入力した医療映像）、ＨＤ（生体測定器２０４から入力した医療映像）の順に変化する場合に、出力画面４０２に表示される医療映像の変化を示している。
当該エンコード装置は、図６（ｄ）に示すように、医療映像の解像度がＨＤから４Ｋに変化するタイミングで、本来表示されるべき医療映像のうち１／４しか表示されず、他の表示が視認できなくなる。当該タイミングでも、映像入力開始時に決定したリサイズ率が維持されるからである。
【００４３】
図６（ａ）〜（ｄ）に示した場合において、従来のエンコード装置は、出力画面４０２の表示に不都合が生じる。また、図５に示したように、出力画面４０２に表示される医療映像は、エンコード装置４００やサーバ装置６００に録画される医療映像そのものであり、録画後に当該医療映像を表示させるとき（例えば、視聴端末群７００によって表示させるとき）にも、同様の不都合が生じる。
また、図示省略するが、図６（ａ）〜（ｄ）に示す場合のそれぞれにおける入力画面４０１の表示についても、出力画面４０２の表示と同様に不都合が生じる。
【００４４】
＜本実施形態におけるエンコード装置４００による解像度判別とリサイズについて＞
次に、本実施形態におけるエンコード装置４００（本願発明の解像度判別とリサイズを行わないエンコード装置）による解像度判別とリサイズについて説明する。
図７は、本実施形態におけるエンコード装置４００が実行する入力画面表示処理に関するフローチャートである。
なお、本実施形態におけるエンコード装置４００が実行する映像入力開始処理については図４（ａ）に示した処理フローと、本実施形態におけるエンコード装置４００が実行する出力画面表示処理については図５に示した処理フローと、概ね同様であるため、図示省略する。ただし、本実施形態におけるエンコード装置４００が実行する出力画面表示処理に含まれるリサイズの処理（ステップＳ３０８に相当する処理）は、後述するステップＳ４１２で決定したリサイズ率を用いる点において、図５に示した処理フローと相違する。
【００４５】
エンコード装置４００は、スイッチャー１００から医療映像に関する映像信号の入力が継続している場合（ステップＳ４０２がＹＥＳである場合）、以下のステップＳ４０４〜ステップＳ４１６の処理を実行する。
ステップＳ４０４において、当該エンコード装置は、入力した映像信号をデコードし、ステップＳ４０６に進む。
ステップＳ４０６において、当該エンコード装置は、デコードして得られた映像データをメモリに書き込み、ステップＳ４０８に進む。
ステップＳ４０８において、当該エンコード装置は、メモリに書き込んだ映像データを解析して、その解像度を判別し、ステップＳ４１０に進む。
ステップＳ４０８で判別した解像度が、従前に判別した解像度から変化した場合（ステップＳ４１０のＹＥＳ）、ステップＳ４１２に進み、従前に判別した解像度から変化していない場合（ステップＳ４１０のＮＯ）、ステップＳ４１２の処理を行わずにステップＳ４１４に進む。
ステップＳ４１２において、当該エンコード装置は、新たなリサイズ率を決定し、ステップＳ４１４に進む。ここで決定されるリサイズ率は、ステップＳ４０８で判別した解像度と、ユーザの操作に応じて予め指定された解像度と、の比率である。
ステップＳ４１４において、当該エンコード装置は、最新のリサイズ率を用いて、メモリに書き込んだ映像データをリサイズし、ステップＳ４１６に進む。
ステップＳ４１６において、当該エンコード装置は、リサイズした映像データを医療映像として入力画面４０１に表示させて、ステップＳ４０２に戻る。
なお、スイッチャー１００からエンコード装置４００に対する医療映像に関する映像信号の入力が途絶えると（ステップＳ４０２がＮＯである場合）、入力画面表示処理は終了となる。
【００４６】
図８は、本実施形態におけるエンコード装置４００の出力画面４０２に表示される医療映像の変化を示す図である。
なお、図８における４Ｋの医療映像及びＨＤの医療映像についても、図６と同様である。
【００４７】
図８（ａ）は、本実施形態におけるエンコード装置４００によって指定された解像度（出力する医療映像の解像度）がＨＤであり、入力される医療映像の解像度が４Ｋ（術野カメラ２０１から入力した医療映像）、ＨＤ（生体測定器２０４から入力した医療映像）、４Ｋ（術野カメラ２０１から入力した医療映像）の順に変化する場合に、出力画面４０２に表示される医療映像の変化を示している。
図８（ａ）に示す場合において、図６（ａ）と比べれば明らかであるように、出力画面４０２に表示される医療映像の領域が縮小するような不都合は生じない。４ＫからＨＤに変化するタイミングにおいても、ＨＤから４Ｋに変化するタイミングにおいても、エンコード装置４００が、そのタイミングに適したリサイズ率に更新するからである。
【００４８】
図８（ｂ）は、本実施形態におけるエンコード装置４００によって指定された解像度（出力する医療映像の解像度）がＨＤであり、入力される医療映像の解像度がＨＤ（生体測定器２０４から入力した医療映像）、４Ｋ（術野カメラ２０１から入力した医療映像）、ＨＤ（生体測定器２０４から入力した医療映像）の順に変化する場合に、出力画面４０２に表示される医療映像の変化を示している。
図８（ｂ）に示す場合において、図６（ｂ）と比べれば明らかであるように、出力画面４０２に本来表示されるべき医療映像の一部しか表示されないような不都合は生じない。ＨＤから４Ｋに変化するタイミングにおいても、４ＫからＨＤに変化するタイミングにおいても、エンコード装置４００が、そのタイミングに適したリサイズ率に更新するからである。
【００４９】
図８（ｃ）は、本実施形態におけるエンコード装置４００によって指定された解像度（出力する医療映像の解像度）が４Ｋであり、入力される医療映像の解像度が４Ｋ（術野カメラ２０１から入力した医療映像）、ＨＤ（生体測定器２０４から入力した医療映像）、４Ｋ（術野カメラ２０１から入力した医療映像）の順に変化する場合に、出力画面４０２に表示される医療映像の変化を示している。
図８（ｃ）に示す場合において、図６（ｃ）と比べれば明らかであるように、出力画面４０２に表示される医療映像の領域が縮小するような不都合は生じない。４ＫからＨＤに変化するタイミングにおいても、ＨＤから４Ｋに変化するタイミングにおいても、エンコード装置４００が、そのタイミングに適したリサイズ率に更新するからである。
【００５０】
図８（ｄ）は、本実施形態におけるエンコード装置４００によって指定された解像度（出力する医療映像の解像度）が４Ｋであり、入力される医療映像の解像度がＨＤ（生体測定器２０４から入力した医療映像）、４Ｋ（術野カメラ２０１から入力した医療映像）、ＨＤ（生体測定器２０４から入力した医療映像）の順に変化する場合に、出力画面４０２に表示される医療映像の変化を示している。
図８（ｄ）に示す場合において、図６（ｄ）と比べれば明らかであるように、出力画面４０２に本来表示されるべき医療映像の一部しか表示されないような不都合は生じない。ＨＤから４Ｋに変化するタイミングにおいても、４ＫからＨＤに変化するタイミングにおいても、エンコード装置４００が、そのタイミングに適したリサイズ率に更新するからである。
【００５１】
図８（ａ）〜（ｄ）に示したように、本実施形態におけるエンコード装置４００は、従来は生じていた出力画面４０２の表示の不都合を解消することができる。従って、エンコード装置４００やサーバ装置６００に録画された医療映像を表示させるとき（例えば、視聴端末群７００によって表示させるとき）にも不都合が生じない。
また、図示省略するが、図８（ａ）〜（ｄ）に示す場合のそれぞれにおける入力画面４０１の表示についても、出力画面４０２の表示と同様に不都合が生じない。
【００５２】
以上に説明したように各処理を実行するので、医療映像システム１０００は、録画中にエンコード装置４００に入力される医療映像の解像度が変化したとしても、適切にリサイズした医療映像をサーバ装置６００に転送することができると共に、適切にリサイズした医療映像をエンコード装置４００に録画することができる。
なお、本実施形態では、録画中にエンコード装置４００に入力される医療映像の解像度が変化する要因として、スイッチャー１００による医療映像の切替（術野カメラ２０１に係る医療映像と生体測定器２０４に係る医療映像との切替）を例示したが、他の要因も考えられる。例えば、医療映像を生成する医療機器が解像度の選択機能を有している場合も同様に録画中にエンコード装置４００に入力される医療映像の解像度が変化し得るが、このような場合にも、エンコード装置４００が適切にリサイズした医療映像を録画できることについては、改めて説明するまでもない。
【００５３】
本実施形態におけるステップＳ１０６の解像度判別からステップＳ４０８の解像度判別への仕様変更は、上述した課題を解決する為の一具体例に過ぎない。言い換えれば、本発明に係る解像度判別手段を実現するには、エンコード装置４００が、医療映像を入力すると当該医療映像の解像度を即時に判別することができれば足り、その実現方法は本実施形態に例示した方法に限られない。
ここで即時とは、医療映像を視認する上でユーザが不都合を感じない程度に短時間であることを意味し、医療映像を入力してから解像度を判別するまでの処理時間は上記の意味の範囲において許容される。
【００５４】
図６や図８を用いた説明において、特定のチャンネルから入力される医療映像の切替（出力画面４０２に表示される医療映像の切替）について本発明に係る解像度判別やリサイズの処理が実行される旨を説明したが、他のチャンネル（例えば、サブ画面４１１〜サブ画面４１３に表示される医療映像）については、当該処理が実行されてもされなくてもよい。
言い換えれば、エンコード装置４００は、少なくとも特定のチャンネルから入力した医療映像の解像度を即時に判別することができ、特定のチャンネルが入力した医療映像を、判別した解像度に基づいて、指定された解像度に合わせてリサイズできればよい。
このとき、サーバ装置６００（本発明に係る記憶装置）は、エンコード装置４００によってリサイズされた医療映像と、他のチャンネルから入力した医療映像と、を同一のタイムコードに対応付けて録画することが好ましい。また、エンコード装置４００は、リサイズした医療映像と、他のチャンネルから入力した医療映像と、を同一のタイムコードに対応付けて、不図示の内部ストレージに録画することが好ましい。
実際の医療現場において、４Ｋの医療映像を撮影又は生成する医療機器は限られており、特定のチャンネルから入力される医療映像の切替について本発明に係る解像度判別やリサイズの処理が適用されれば、発明の目的を達成できるからである。
【００５５】
ただし、４Ｋの医療映像を撮影又は生成する医療機器が複数存在する手術においては、全てのチャンネルについて、入力した医療映像の解像度を即時に判別することができ、且つ、判別した解像度に基づいて指定の解像度に合わせてリサイズできることが好ましい。スイッチャー１００による切替に制限がなくなる（上述した不都合の発生し得る切替の組合せがなくなる）からである。
この変形例において、サーバ装置６００は、エンコード装置４００によってリサイズされた医療映像の全てを同一のタイムコードに対応付けて録画することが好ましい。また、エンコード装置４００は、リサイズした医療映像の全てを同一のタイムコードに対応付けて、不図示の内部ストレージに録画することが好ましい。
【００５６】
＜本発明の変形例について＞
ここまで各図を用いて説明される実施形態に即して本発明を説明したが、本発明は上述の実施形態に限定されるものではなく、本発明の目的が達成される限りにおける種々の変形、改良等の態様も含む。
以下、まだ言及していない変形例について述べる。
【００５７】
図１に図示した構成は、本発明に係る医療映像システムの構成要素を例示したに過ぎず、本発明の目的を達成する範囲において、新たな構成を追加してもよいし、一部の構成を省いてもよいし、単一の構成として図示したものを複数の構成に分割してもよい。
【００５８】
図２、図３に図示したエンコード装置４００の操作画面は、一具体例に過ぎず、本発明の目的を達成する範囲において変更可能である。例えば、入力画面４０１と出力画面４０２の双方を設けずともよく、一方が省かれた操作画面（出力画面４０２が表示されて入力画面４０１が表示されない操作画面）としてもよい。
【００５９】
図７に図示した処理フローは、一具体例に過ぎず、本発明の目的を達成する範囲において変更可能である。例えば、エンコード装置４００の操作画面を上記のように変更した場合（出力画面４０２が表示されて入力画面４０１が表示されない操作画面とした場合）、図７に示す入力画面表示処理は不要であり、本発明の目的達成に必要なステップＳ４０８〜ステップＳ４１４に相当する処理は、出力画面表示処理に組み込んでも良い。
この変形例において、ステップＳ４０８〜ステップＳ４１４に相当する処理は、録画中に限って実行される処理となり、スイッチャー１００から医療映像を入力している期間の一部が、当該処理が実行されていない期間になり得る。
【００６０】
上述の実施形態において、エンコード装置４００によって指定可能な解像度は４ＫとＨＤであることを例示したが、エンコード装置４００によって他の解像度（例えば、８Ｋ（７６８０×４３２０ピクセル）、フルＨＤ（１９２０×１０８０ピクセル）等）が指定可能に構成されてもよい。
【００６１】
本実施形態は以下の技術思想を包含する。
（１）医療映像処理装置と、複数の医療機器から受け付けた医療映像の中から選択された医療映像を前記医療映像処理装置に出力する映像切替装置と、を備える医療映像システムであって、前記医療映像処理装置は、複数通りの解像度のうち一の解像度を予め指定する解像度指定手段と、前記映像切替装置から医療映像を入力する映像入力手段と、前記映像入力手段が医療映像を入力すると、当該医療映像の解像度を即時に判別する解像度判別手段と、前記映像入力手段が入力した医療映像を、前記解像度判別手段が判別した解像度に基づいて、前記解像度指定手段によって指定された解像度に合わせて変換する映像変換手段と、前記映像変換手段によって変換された医療映像を出力する映像出力手段、又は、前記映像変換手段によって変換された医療映像を録画する録画手段のうち少なくとも一方と、を有する医療映像システム。
（２）更に、前記医療映像処理装置が出力した医療映像を録画する記憶装置を備え、前記映像入力手段は、医療映像を入力するチャンネルを複数有しており、前記解像度指定手段は、少なくとも第一のチャンネルについて、複数通りの解像度のうち一の解像度を指定することができ、前記解像度判別手段は、少なくとも前記第一のチャンネルから入力した医療映像の解像度を即時に判別することができ、前記映像変換手段は、前記第一のチャンネルが入力した医療映像を、前記解像度判別手段によって判別された解像度に基づいて、前記解像度指定手段によって指定された解像度に合わせて変換し、前記記憶装置は、前記映像変換手段によって変換された医療映像と、前記第一のチャンネルとは異なる第二のチャンネルから入力した医療映像と、を同一のタイムコードに対応付けて録画する、（１）に記載の医療映像システム。
（３）複数通りの解像度のうち一の解像度を予め指定する解像度指定手段と、外部から医療映像を入力する映像入力手段と、前記映像入力手段が医療映像を入力すると、当該医療映像の解像度を即時に判別する解像度判別手段と、前記映像入力手段が入力した医療映像を、前記解像度判別手段が判別した解像度に基づいて、前記解像度指定手段によって指定された解像度に合わせて変換する映像変換手段と、前記映像変換手段によって変換された医療映像を出力する映像出力手段、又は、前記映像変換手段によって変換された医療映像を録画する録画手段のうち少なくとも一方と、を備える医療映像処理装置。
（４）前記映像入力手段は、医療映像を入力するチャンネルを複数有しており、前記解像度指定手段は、少なくとも第一のチャンネルについて、複数通りの解像度のうち一の解像度を指定することができ、前記解像度判別手段は、少なくとも前記第一のチャンネルから入力した医療映像の解像度を即時に判別することができ、前記映像変換手段は、前記第一のチャンネルが入力した医療映像を、前記解像度判別手段によって判別された解像度に基づいて、前記解像度指定手段によって指定された解像度に合わせて変換し、前記録画手段は、前記映像変換手段によって変換された医療映像と、前記第一のチャンネルとは異なる第二のチャンネルから入力した医療映像と、を同一のタイムコードに対応付けて録画する、（３）に記載の医療映像処理装置。
【符号の説明】
【００６２】
１０００  医療映像システム
１００  スイッチャー
２００  医療機器群
２０１  術野カメラ
２０２  ヘッドカメラ
２０３  電子カルテ
２０４  生体測定器
２０５  内視鏡
２０６  顕微鏡
２０７  超音波診断装置
２０８  透視撮影装置
３００  モニタ群
４００  エンコード装置
４０１  入力画面
４０２  出力画面
４０３  状態表示
４０５  録画停止ボタン
４０６  静止画撮影ボタン
４０７  録画一時停止ボタン
４０８  施術情報表示
４０９  出力情報表示
４１０  拡張表示作動ボタン
４１１、４１２、４１３  サブ画面
４１４  拡張表示停止ボタン
５００  ネットワーク
６００  サーバ装置
７００  視聴端末群
【要約】
【課題】入力される医療映像の解像度の変化に応じて適切に処理可能な医療映像システム等を提供する。
【解決手段】医療映像システム１０００は、複数通りの解像度のうち一の解像度を指定し、外部から医療映像を入力し、医療映像を入力すると当該医療映像の解像度を即時に判別し、入力した医療映像を、判別した解像度に基づいて指定の解像度に合わせて変換し、変換した医療映像を録画したりサーバ装置６００に転送したりするエンコード装置４００を備える。
【選択図】図１【図１】
0006948043.tif 000002
【図２】
0006948043.tif 000003
【図３】
0006948043.tif 000004
【図４】
0006948043.tif 000005
【図５】
0006948043.tif 000006
【図６】
0006948043.tif 000007
【図７】
0006948043.tif 000008
【図８】
0006948043.tif 000009